(57)【要約】      （修正有）【課題】人間の腕、手首と手における特定の角度及び構造に適合し、操作するときの快適性及び入力の正確性を向上させる左手キー領域と、右手キー領域と、近側と、遠側とを含む人間工学的キーボードとポータブルコンピュータを提供する。【解決手段】左手キー領域１００は複数の第１のキー列と、複数の第１のキー行とを含み、複数の第１のキー列は第１の放射状に配列され、第１のキー列が位置する第１の直線が互いに形成している夾角は、２〜８°である。右手キー領域２００は複数の第２のキー列と、複数の第２のキー行とを含み、複数の第２のキー列は第２の放射状に配列され、第２のキー列が位置する第２の直線が互いに形成している夾角は、２〜８°である。ポータブルコンピュータは、このキーボードを含む本体と、ディスプレイとを含む。【選択図】図３
0003221749.tif 000002
【実用新案登録請求の範囲】
【請求項１】
左手キー領域（１００）と、右手キー領域（２００）と、近側（３００）と、遠側（４００）とを含む人間工学的キーボード（１０）において、
前記左手キー領域（１００）は複数の第１のキー列（１１０）と、複数の第１のキー行（１９０）とを含み、前記複数の第１のキー列（１１０）は第１の放射状に配列され、
前記右手キー領域（２００）は複数の第２のキー列（２１０）と、複数の第２のキー行（２９０）とを含み、前記複数の第２のキー列（２１０）は第２の放射状に配列されることを特徴とする人間工学的キーボード（１０）。
【請求項２】
前記第１の放射状に配列されることは、前記各第１のキー列（１１０）が位置する第１の直線（１２０）が、互いに第１の夾角（１４０）を形成し、前記複数の第１の直線（１２０）は、少なくとも１つの第１の集合点（１３０）を有し、前記第１の集合点（１３０）が前記人間工学的キーボード（１０）の前記近側（３００）に近いことであり、
前記第２の放射状に配列されることは、前記各第２のキー列（２１０）が位置する第２の直線（２２０）が、互いに第２の夾角（２４０）を形成し、前記複数の第２の直線（２２０）は、少なくとも１つの第２の集合点（２３０）を有し、前記第２の集合点（２３０）が前記人間工学的キーボード（１０）の前記近側（３００）に位置することである、ことを特徴とする請求項１に記載の人間工学的キーボード（１０）。
【請求項３】
前記各第１の夾角（１４０）は２〜８°であり、前記各第２の夾角（２４０）は２〜８°であることを特徴とする請求項２に記載の人間工学的キーボード（１０）。
【請求項４】
前記複数の第１の直線（１２０）は、複数の第１の集合点（１３０）を有し、前記複数の第１の集合点（１３０）は前記人間工学的キーボード（１０）の前記近側（３００）に位置し、
前記複数の第２の直線（２２０）は、複数の第２の集合点（２３０）を有し、前記複数の第２の集合点（２３０）は前記人間工学的キーボード（１０）の前記近側（３００）に位置することを特徴とする請求項３に記載の人間工学的キーボード（１０）。
【請求項５】
前記第１の直線（１２０）と前記第２の直線（２２０）との間に、複数の第３の夾角（４１０）及び複数の第３の集合点（４２０）が形成され、前記複数の第３の集合点（４２０）は前記人間工学的キーボード（１０）の前記遠側（４００）に位置することを特徴とする請求項３に記載の人間工学的キーボード（１０）。
【請求項６】
前記複数の第３の夾角（４１０）では、最小の角度は１０°であり、最大の角度は６０°であることを特徴とする請求項５に記載の人間工学的キーボード（１０）。
【請求項７】
少なくとも１つの前記第１のキー行（１９０）は第１の円弧に配列され、前記第１の円弧の中心は前記近側（３００）の左方に位置し、
少なくとも１つの前記第２のキー行（２９０）は第２の円弧に配列され、前記第２の円弧の中心は前記近側（３００）の右方に位置することを特徴とする請求項３に記載の人間工学的キーボード（１０）。
【請求項８】
前記左手キー領域（１００）と前記右手キー領域（２００）との間に設けられる複数の編集キー（８１０）をさらに含むことを特徴とする請求項３に記載の人間工学的キーボード（１０）。
【請求項９】
前記右手キー領域（２００）より右側に設けられるテンキー（８３０）をさらに含むことを特徴とする請求項３に記載の人間工学的キーボード（１０）。
【請求項１０】
キーボード（９３０）を含む本体（９１０）と、前記本体（９１０）に枢着されるディスプレイ（９２０）とを含むポータブルコンピュータ（９００）において、
前記キーボード（９３０）は、請求項１〜９のいずれか一項に記載の人間工学的キーボード（１０）であることを特徴とするポータブルコンピュータ（９００）。
【考案の詳細な説明】
【技術分野】
【０００１】
本考案は、電子デジタルデータ処理に関し、具体的には、ユーザとコンピュータとの間の対話に用いる手動入力装置に関する。
【背景技術】
【０００２】
従来最も広く利用されている「ＱＷＥＲＴＹ」配列の標準キーボードは、図１に示すように、各指に対応するキーが左上から右下に傾斜して配列される。これは、ユーザが左手を自然に置いたとき、指が右上から左下に傾斜するという方向と逆である。標準キーボードの運指で操作するとき、ユーザが左肘を内側に引き寄せ、左の手首と掌を尺側に移動させ、左手の各指を頻繁に外側に引き伸ばさなければならない。これらはいずれも肩部と手首の筋肉疲労、筋肉損傷を引き起こす要因であり、ユーザが長時間キーボードを打つため深刻な反復運動過多損傷（ＲＳＩ）と手根管症候群（ＣＴＳ）に罹患する例は少なくない。
【０００３】
これを背景に、人間が利用しやすいように、腕、手首と手における特定の角度及び構造に適合する人間工学的な特徴を備えるキーボードが数多く提案されている。例えば、既存の人間工学的特徴を備えるキーボードの一例として、人間工学における結合と分割という考え方を活かして構成されたキーボードが挙げられる。そのテンキーの部分は、特定の角度をなす２つの部分に分かれ、この角度は、ユーザがキーボードを操作するときに腕と手首がなす一般的な角度と一致している。このように分割された構成の例は、図２に示すＭｉｃｒｏｓｏｆｔ  Ｎａｔｕｒａｌキーボード（以下、「自然キーボード」という）やキーボードの入力領域が分かれたその他の製品が挙げられる。
【考案の概要】
【考案が解決しようとする課題】
【０００４】
上述した人間工学的キーボードでは、標準キーボードの運指に従って分けた左手キー領域及び右手キー領域という２つの部分を左右に個別に設け、且つ特定の角度を形成させる構成とすることにより、ユーザが両腕を意識的に引き寄せる必要がなく、掌の大幅な尺側移動も回避される。このように構成されたキーボードをタッチタイピングに慣れたユーザが使用する場合には、左手キー領域及び右手キー領域のミスタッチ、例えば、「Ｇ」と「Ｈ」の混同を減らす効果がある。
【０００５】
しかしながら、左手用及び右手用の２つの領域を個別に設け、且つ特定の角度を形成させるという従来の人間工学的キーボードの実施形態では、ユーザが両手をホームポジションに置くと、手首関節が自然な状態にあり、ユーザの肩部と肘部の緊張した状態を緩和できるものの、キーを打つ際、手首関節、指関節、掌部関節及び指節間関節はやはり不自然に屈曲した状態にある。図２から分かるように、両手を自然にホームポジションに置くと、中指の長軸線とキーボードの上下方向の軸線が下向きに開口した８〜１５°の角度を形成し、左手の各指の長軸線が右上から左下に傾斜し、左手キー領域の各列のキーが左上から右下に傾斜するという互い違いの配列形態としている。左手中指の運指におけるｅキー、ｄキー及びｃキーを例にとると、ｅキー、ｄキーとｃキーを結ぶ線が左手中指の長軸線と３０〜４０°の角度をなすため、このような配列では、左手の中指がキーを打つ際必然的に指関節、掌部関節及び手首関節が頻繁に左に大幅に屈曲することになる。また、各列のキーが平行に配列された形態は、人間の掌の指骨間に自然な角度が存在するという解剖学的な構造特徴にも合致しない。さらに、両手の各指の長さが異なるため、指先を結ぶ線は弧線となり、各指が自然に屈曲した状態で指先を置いた位置も弧線をなすが、既存の人間工学的キーボードでは、各行のキーは直線に配列されており、この直線に合わせるために、中指と薬指が不自然、ひいては過度に屈曲した状態にならざるを得ない。また、編集用のキーが両側に設けられており、柔軟性がそれほど高くない小指でそれらを操作するとなると、小指が大幅な尺側移動を起こすだけでなく、両手の各指もホームポジションから離れるため、入力速度と正確性が低下するなどの問題があった。
【課題を解決するための手段】
【０００６】
従来技術では、キーを打つ際、手首関節、指関節、掌部関節、指節間関節が不自然に屈曲するという問題を効果的に解決できなかったことに鑑み、入力速度と入力の正確性の向上を図るために、本考案は、左手キー領域と、右手キー領域と、ユーザに近い側（以下、近側という）と、ユーザから遠い側（以下、遠側という）とを含む人間工学的キーボードを提供し、前記左手キー領域が複数の第１のキー列と、複数の第１のキー行とを含み、複数の第１のキー列が第１の放射状に配列され、前記右手キー領域が複数の第２のキー列と、複数の第２のキー行とを含み、前記複数の第２のキー列が第２の放射状に配列されることを特徴とする。
【０００７】
さらに、第１の放射状に配列されることは、前記各第１のキー列が位置する第１の直線が、互いに第１の夾角を形成し、複数の第１の直線は、少なくとも１つの第１の集合点を有し、前記第１の集合点が前記人間工学的キーボードの前記近側に近いことであり、前記第２の放射状に配列されることは、前記各第２のキー列が位置する第２の直線が、互いに第２の夾角を形成し、複数の第２の直線は、少なくとも１つの第２の集合点を有し、前記第２の集合点が前記人間工学的キーボードの前記近側に位置することである。
【０００８】
さらに、前記各第１の夾角は２〜８°であり、前記各第２の夾角は２〜８°である。
【０００９】
さらに、前記複数の第１の直線は、複数の第１の集合点を有し、前記複数の第１の集合点は前記人間工学的キーボードの前記近側に位置し、前記複数の第２の直線は、複数の第２の集合点を有し、前記複数の第２の集合点は前記人間工学的キーボードの前記近側に位置する。
【００１０】
さらに、前記第１の直線と前記第２の直線との間に、複数の第３の夾角及び複数の第３の集合点が形成され、前記複数の第３の集合点が前記人間工学的キーボードの前記遠側に位置する。
【００１１】
さらに、前記複数の第３の夾角では、最小の角度は１０°であり、最大の角度は６０°である。
【００１２】
さらに、少なくとも１つの前記第１のキー行は第１の円弧に配列され、前記第１の円弧の中心は前記近側の左方に位置し、
少なくとも１つの前記第２のキー行は第２の円弧に配列され、前記第２の円弧の中心は前記近側の右方に位置する。
【００１３】
さらに、前記左手キー領域と前記右手キー領域との間に設けられる複数の編集キーを含む。
【００１４】
さらに、前記右手キー領域より右側に設けられるテンキーを含む。
【００１５】
本考案はまた、キーボードを含む本体と、前記本体に枢着されるディスプレイとを含むポータブルコンピュータを提供する。前記キーボードは、上述した技術的特徴を備える人間工学的キーボードであることを特徴とする。
【考案の効果】
【００１６】
上記から分かるように、本考案は以下の有益な効果を有する。
人間工学的キーボード及びポータブルコンピュータを提供する。キーボード上のキー列は放射状に配列され、且つキー列同士は夾角を形成しており、人間の掌及び指骨間に自然な角度が存在するという解剖学的な構造特徴に合致する。キーを打つ際、手首関節、指関節、掌部関節、指節間関節が不自然に屈曲するという問題を効果的に解決するとともに、入力速度と入力の正確性を向上させる。
【図面の簡単な説明】
【００１７】
【図１】標準キーボードの運指の概略図
【図２】Ｍｉｃｒｏｓｏｆｔ  Ｎａｔｕｒａｌキーボードの概略図
【図３】本考案に係る人間工学的キーボードの概略図
【図４】本考案に係る人間工学的キーボードのキー配列の概略図
【図５】本考案に係る別の人間工学的キーボードの実施例のキー配列の概略図
【図６】本考案に係るポータブルコンピュータの構造の概略図
【考案を実施するための形態】
【００１８】
本考案は主に、人間工学的キーボード及びポータブルコンピュータを開示する。以下の参照するために用いられる図面は、当業者の理解を助けるために、本考案の例示的な実施例の特徴に関連する構造を概略的に示すものであり、当然ながら、実物大で描画されたものではない。
【００１９】
図３に示すように、本考案に係る人間工学的キーボード１０は、左手キー領域１００と、右手キー領域２００と、近側３００と、遠側４００とを含む。
【００２０】
さらに、図４に示すように、本考案に係る人間工学的キーボードのキー配列では、左手キー領域１００が複数の第１のキー列１１０と、複数の第１のキー行１９０とを含み、複数の第１のキー列１１０が第１の放射状に配列されている。第１の放射状に配列されることは、各第１のキー列１１０が位置する第１の直線１２０が、互いに第１の夾角１４０を形成してなる第１の放射状配列のことをいい、第１の直線１２０は直線Ｌ１１と、直線Ｌ１２と、直線Ｌ１３と、直線Ｌ１４と、直線Ｌ１５とを含む。本実施例では、キー「１」、「ｑ」、「ａ」、「ｚ」は直線Ｌ１１に配列され、キー「２」、「ｗ」、「ｓ」、「ｘ」は直線Ｌ１２に配列され、キー「３」、「ｅ」、「ｄ」、「ｃ」は直線Ｌ１３に配列され、キー「４」、「ｒ」、「ｆ」、「ｖ」は直線Ｌ１４に配列され、キー「５」、「ｔ」、「ｇ」、「ｂ」は直線Ｌ１５に配列されており、直線Ｌ１１〜Ｌ１５は前記第１の放射状配列を形成し、且つ、直線Ｌ１１〜Ｌ１５が互いに形成している夾角は、すなわち第１の夾角１４０で、その角度は、２〜８°である。
【００２１】
複数の第１の直線１２０は、少なくとも１つの第１の集合点１３０を有し、第１の集合点１３０は人間工学的キーボード１０の近側３００に近くにあり、図４に示すように、直線Ｌ１１〜Ｌ１５の延長線の交点は、すなわち第１の集合点１３０である。
【００２２】
右手キー領域２００は複数の第２のキー列２１０と、複数の第２のキー行２９０とを含み、複数の第２のキー列２１０は第２の放射状に配列されている。第２の放射状に配列されることは、各第２のキー列２１０が位置する第２の直線２２０が、互いに第２の夾角２４０を形成してなる第２の放射状配列のことをいい、第２の直線２２０は直線Ｒ１１と、直線Ｒ１２と、直線Ｒ１３と、直線Ｒ１４と、直線Ｒ１５とを含む。本実施例では、キー「６」、「ｙ」、「ｈ」、「ｎ」は直線Ｒ１５に配列され、キー「７」、「ｕ」、「ｊ」、「ｍ」は直線Ｒ１４に配列され、キー「８」、「ｉ」、「ｋ」、「，」は直線Ｒ１３に配列され、キー「９」、「ｏ」、「ｌ」、「．」は直線Ｒ１２に配列され、キー「０」、「ｐ」、「；」、「／」は直線Ｒ１１に配列されており、直線Ｒ１１〜Ｒ１５は前記第２の放射状配列を形成し、且つ、直線Ｒ１１〜Ｒ１５が互いに形成している夾角は、すなわち第２の夾角２４０で、その角度は、２〜８°である。
【００２３】
複数の第２の直線２２０は、少なくとも１つの第２の集合点２３０を有し、第２の集合点２３０は人間工学的キーボード１０の前記近側３００に位置し、図４に示すように、直線Ｒ１１〜Ｒ１５の延長線の交点は、すなわち第２の集合点２３０である。
【００２４】
複数の第１の直線１２０と複数の第２の直線２２０との間に、複数の第３の夾角４１０及び複数の第３の集合点４２０が形成されている。例えば、直線Ｒ１５と直線Ｌ１５、直線Ｒ１４と直線Ｌ１４、直線Ｒ１３と直線Ｌ１３、直線Ｒ１２と直線Ｌ１２は、複数の第３の夾角４１０及び複数の第３の集合点４２０を形成している。複数の第３の夾角４１０では、最小の角度は１０°であり、最大の角度は６０°である。第３の集合点４２０は人間工学的キーボード１０の遠側４００に位置する。
【００２５】
第１のキー行１９０は第１の円弧に配列され、第１の円弧の中心は近側３００の左側に位置する。第１のキー行１９０は弧線Ｌ２１と、弧線Ｌ２２と、弧線Ｌ２３と、弧線Ｌ２４とを含む。本実施例では、キー「２」、「３」、「４」、「５」は弧線Ｌ２１に配列され、キー「ｗ」、「ｅ」、「ｒ」、「ｔ」は弧線Ｌ２２に配列され、キー「ｓ」、「ｄ」、「ｆ」、「ｇ」は弧線Ｌ２３に配列され、キー「ｘ」、「ｃ」、「ｖ」、「ｂ」は弧線Ｌ２４に配列されており、弧線Ｌ２１〜Ｌ２４は円弧状に配列されている。
【００２６】
第２のキー行２９０は第２の円弧に配列され、第２の円弧の中心は近側３００の右方に位置する。第２のキー行２９０は弧線Ｒ２１と、弧線Ｒ２２と、弧線Ｒ２３と、弧線Ｒ２４とを含む。本実施例では、キー「６」、「７」、「８」、「９」は弧線Ｒ２１に配列され、キー「ｙ」、「ｕ」、「ｉ」、「ｏ」は弧線Ｒ２２に配列され、キー「ｈ」、「ｊ」、「ｋ」、「ｌ」は弧線Ｒ２３に配列され、キー「ｎ」、「ｍ」、「，」、「．」は弧線Ｒ２４に配列されており、弧線Ｒ２１〜Ｒ２４は第２の円弧に配列されている。
【００２７】
上記第１のキー行１９０及び第２のキー行２９０における弧線Ｌ２１〜Ｌ２５及び弧線Ｒ２１〜Ｒ２５に配列されているキーはそれぞれ、さらに左側又は右側に拡張してもよい。本実施例では、各弧線に４つのキーのみが配列されているが、これだけに限定されない。その他の実施例として、弧線Ｌ２１〜Ｌ２４には、少なくとも左手キー領域１００の右側の３つのキーが配列され、弧線Ｒ２１〜Ｒ２４には、少なくとも右手キー領域２００の左側の３つのキーが配列されている。また、Ｌ２１〜Ｌ２５の左側に拡張する弧度と上記のように配列されているキーの弧度は異なってもよく、Ｒ２１〜Ｒ２５の右側に拡張する弧度と上記のように配列されているキーの弧度は異なってもよい。
【００２８】
本考案に係る人間工学的キーボード１０はさらに、左手キー領域１００と右手キー領域２００との間に設けられる複数の編集キー８１０も含む。例えば、「Ｃｔｒｌ」、「Ｓｈｉｆｔ」、「Ｅｎｔｅｒ」又はスペースキーなどである。さらに、左手キー領域１００及び右手キー領域２００の位置に応じて、左手キー領域１００及び右手キー領域２００の近側３００に近い位置に左手用スペースキー及び右手用スペースキーをそれぞれ設けてもよい。第１のキー列１１０及び第２のキー列２１０の近側３００に近い位置に、ユーザが操作しやすいように、さらにファンクションキー、編集キー８１０又はショートカットキーを設けてもよい。
【００２９】
さらに、人間工学的キーボード１０はさらに、テンキー８３０及び方向キー領域８４０も含む。方向キー領域８４０は右手キー領域２００の右側に設けられ、テンキー８３０は方向キー領域８４０の右側に設けられている。
【００３０】
図５に示すように、別の実施例として、複数の第１の直線１２０は、複数の第１の集合点１３０を有してもよく、複数の第１の集合点１３０は人間工学的キーボード１０の近側３００に位置する。複数の第２の直線２２０は、複数の第２の集合点２３０を有し、複数の第２の集合点２３０は人間工学的キーボード１０の近側３００に位置する。すなわち複数の第１の直線１２０が互いに異なる弧度で離間し、複数の第１の直線１２０がそれぞれ複数の第１の集合点１３０に集合し、複数の第２の直線２２０が互いに異なる弧度で離間し、複数の第２の直線２２０はそれぞれ複数の第１の集合点２３０に集合している。
【００３１】
図６は、本考案の別の実施例を示し、ポータブルコンピュータ９００を提供する。本体９１０と、本体９１０に枢着されているディスプレイ９２０とを含む。本体９１０はさらにキーボード９３０を含み、キーボード９３０は人間工学的キーボード１０の技術的特徴を備える。
【００３２】
要するに、本考案は、頻繁に利用されるキーを人間の掌、指骨の放射状の生理的構造及び運動学的特徴に合致する形態で配置し直すことにより、ユーザが使い心地よく操作できるようにするものである。前記頻繁に利用されるキーのアルファベット、数字の配列は、ＱＷＥＲＴＹ標準キーボードの配列だけでなく、その他のキーボード配列を採用してもよい。
【００３３】
本考案は以下の有益な効果を有する。
人間工学的キーボード及びポータブルコンピュータを提供し、キーボード上のキー列は放射状に配列され、且つキー列同士は夾角を形成しており、人間の掌及び指骨間に自然な角度が存在するという解剖学的な構造特徴に合致する。キーを打つ際、手首関節、指関節、掌部関節、指節間関節が不自然に屈曲するという問題を効果的に解決するとともに、入力速度と入力の正確性を向上させる。
【００３４】
以上記載された内容は、当業者が本考案を理解し実施できるように、好ましい実施形態にて説明したものに過ぎず、その請求の範囲を限定するものではない。よって、本考案に係る趣旨と範囲を逸脱することなくなされたその他の均等な変更や変形などは、いずれも請求の範囲に含まれるものとする。
【符号の説明】
【００３５】
１０…人間工学的キーボード、１００…左手キー領域、１１０…第１のキー列、１２０…第１の直線、１３０…第１の集合点、１４０…第１の夾角、１９０…第１のキー行、２００…右手キー領域、２２０…第２の直線、２３０…第２の集合点、２４０…第２の夾角、２９０…第２のキー行、３００…近側、４００…遠側、４１０…第３の夾角、４２０…第３の集合点、８３０…テンキー、８４０…方向キー領域、９００…ポータブルコンピュータ、９１０…本体、９２０…ディスプレイ、９３０…キーボード、Ｌ１１…直線、Ｌ１２…直線、Ｌ１３…直線、Ｌ１４…直線、Ｌ１５…直線、Ｒ１１…直線、Ｒ１２…直線、Ｒ１３…直線、Ｒ１４…直線、Ｒ１５…直線、Ｌ２１…弧線、Ｌ２２…弧線、Ｌ２３…弧線、Ｌ２４…弧線、Ｒ２１…弧線、Ｒ２２…弧線、Ｒ２３…弧線、Ｒ２４…弧線。
【図１】
0003221749.tif 000003
【図２】
0003221749.tif 000004
【図３】
0003221749.tif 000005
【図４】
0003221749.tif 000006
【図５】
0003221749.tif 000007
【図６】
0003221749.tif 000008